(57)【特許請求の範囲】
【請求項１】
複数のユニットそれぞれの運転状態を各ユニットを構成する主要な複数の機器の運転状態と共に表示する表示装置であって、運転状態を表示する表示部がマトリックス状に割り付けられた液晶表示手段からなると共に、各液晶表示手段に添設されてマトリックスの位置を示す補助液晶表示手段を備え、且つ、対応ユニットが実在する補助液晶表示手段は電源投入時は常時表示動作状態に設けられ、対応ユニットが実在しない補助液晶表示手段は電源投入時も常時非表示動作状態に設けられることを特徴とする運転状態表示装置。
【請求項２】
補助液晶表示手段が、水平ラインと垂直ラインとからなる請求項１記載の運転状態表示装置。
【請求項３】
ユニットの番号を表示する表示部が、液晶表示手段によって形成された請求項１または２記載の運転状態表示装置。
【発明の詳細な説明】
【０００１】
【産業上の利用分野】
本発明は、複数のユニットそれぞれの運転状態を各ユニットを構成する主要な複数の機器の運転状態と共に表示する表示装置に関するものであり、特に詳しくは吸収冷温水機用ワイヤードリモコンなどに設ける表示装置に関するものである。
【０００２】
【従来の技術】
例えば、図６に示したような複数台の吸収式冷温水機（以下、空調機と云う）による並列システム用のリモコン１００として、ランプ（ＬＥＤを含む）類６０による表示装置５０を備えたものが従来から周知である。この表示装置５０においては、横方向に空調機番号が割り付けられ、縦方向には表示したい項目を割り付けることで、何番目の空調機が運転しているか分かり易くしていた。
【０００３】
しかし、ランプそのものには名称などの文字を書き込むことができないため、横方向の空調機番号を示す位置に数字を印刷し、縦方向の表示項目を示す位置に名称を印刷していた。また、これらがマトリックス状に割り付けられていることを明確にするため、補助線７０を印刷表記していた。
【０００４】
また、このリモコン１００の表示部には、予め設定した最大の制御台数、例えば５台分の表示ランプなどが設置され、補助線７０も最大台数の５台分が印刷されていた。このため、５台未満の空調機台数で使用する場合は、リモコン１００を操作する人が意識して未使用の部分を無視するか、制御台数に対応したリモコンを製作して使用する必要があった。
【０００５】
【発明が解決しようとする課題】
上記従来のリモコン１００の表示装置５０を、液晶表示器に置き換えると横方向の空調機番号、縦方向の表示項目名称などの表示は印刷ではなく液晶表示となるため、必要な数だけ表示できる。例えば、最大制御台数が５台の表示装置５０において、空調機を３台を接続して制御するときには４番目と５番目を表示しないので表示内容がすっきりする。しかし、位置関係を明確にする補助線７０を最大制御台数に対応して予め印刷すると、制御台数が少なくても最大数の補助線７０が残り、不自然になると云った問題点があり、この点の解決が課題となっていた。
【０００６】
【課題を解決するための手段】
本発明は上記従来技術の課題を解決するための具体的手段として、複数のユニットそれぞれの運転状態を各ユニットを構成する主要な複数の機器の運転状態と共に表示する表示装置において、運転状態を表示する表示部がマトリックス状に割り付けられた液晶表示手段からなると共に、各液晶表示手段に添設されてマトリックスの位置を示す補助液晶表示手段を備え、且つ、対応ユニットが実在する補助液晶表示手段は電源投入時は常時表示動作状態に設け、対応ユニットが実在しない補助液晶表示手段は電源投入時も常時非表示動作状態に設けるようにした第１の構成の運転状態表示装置と、
【０００７】
前記第１の構成の運転状態表示装置において、補助液晶表示手段が水平ラインと垂直ラインとからなる第２の構成の運転状態表示装置と、
【０００９】
前記第１または第２の構成の運転状態表示装置において、ユニットの番号を表示する表示部が液晶表示手段によって形成された第３の構成の運転状態表示装置と、
を提供することにより、前記した従来技術の課題を解決するものである。
【００１０】
【作用】
運転状態を表示する表示部がマトリックス状に割り付けられた液晶表示手段からなると共に、マトリックスの位置を示す補助液晶表示手段を備え、さらに実在ユニットに対応する補助液晶表示手段は常時表示動作状態に設けられ、実在ユニットに対応しない補助液晶表示手段は常時非表示動作状態に設けられるので、実在ユニットに対応する補助液晶表示手段を例えば常時暗転動作させておくことによって、液晶表示手段が斑模様に暗転動作しても、動作した液晶表示手段の位置関係が容易に把握でき、運転しているユニット・機器を見間違えることがない。
【００１１】
また、第３の構成の表示装置においては、ユニットの番号を表示する部分も液晶表示手段によって形成されているので、例えば５ユニットの運転状態の表示ができるように作成した表示装置に、例えば４ユニットを接続して表示するときには、１〜４ユニットに相当する部分を例えば暗転動作させて表示し、５番目のユニットの表示を行わないようにすることができるので、表示内容がすっきりする。
【００１２】
【実施例】
以下、本発明を図１〜図５に基づいてさらに詳細に説明する。なお、これらの図において前記図６の符号と同一符号で示した部分は、図６によって説明したものと同様の機能を持つ部分であり、本発明の理解を妨げない範囲で説明は省略した。
【００１３】
図１に示したリモコン１００の液晶表面部１００Ａには、表面全体を領域Ａ・Ｂ・Ｃ・Ｄに区分するために３本の横線４０が適宜の間隔で印刷によって形成され、領域Ｂに本発明の表示装置５０が設けられている。
【００１４】
この表示装置５０においては、左の部分に空調機であるユニット１、運転中２、各ユニットの主要な構成機器、例えば冷温水ポンプを意味する冷温水Ｐ３、冷却水ポンプを意味する冷却水Ｐ４の印刷表記が、図のようになされている。
【００１５】
そして、ユニット１の印刷表記の右側に、所要の電圧が印加されると例えば暗転動作して［１］、［２］、［３］、［４］、［５］をそれぞれ表示することのできる、液晶表示手段からなるユニット番号表示手段５・６・７・８・９を横方向に列設すると共に、リモコン１００の電源スイッチＳ１を投入したとき、繋がれている空調機の台数に相当する数字までが暗転動作して表示できるように、ユニット番号表示手段５・６・７・８・９の配線を行っている。また、Ｓ２は冷／暖房の指定スイッチである。
【００１６】
したがって、例えば図示しない４台の空調機が接続された４ユニット制御の場合に、リモコン１００の電源スイッチＳ１が投入されると、ユニット番号表示手段９には所定の電圧が印加されず、ユニット番号表示手段５・６・７・８にのみ所定の電圧が印加されるので、これらの液晶が暗転動作して［１］、［２］、［３］、［４］の数字がユニット１の印刷表記の右側に表示される。
【００１７】
また、運転中２・冷温水Ｐ３・冷却水Ｐ４の印刷表記それぞれの右側の、ユニット番号表示手段５・６・７・８・９の下方には、所定の電圧が印加されると例えば暗転動作するタイプの液晶表示手段１０をマトリックス状に配設し、且つ、液晶表示手段１０それぞれに近接して、所定の電圧が印加されると例えばＬ字状に暗転動作するタイプの補助液晶表示手段１１を配設してある。
【００１８】
運転中２の印刷表記の右側に配設した液晶表示手段１０は、リモコン１００の電源Ｓ１が投入され、且つ、図示しない空調機の再生器で冷媒の蒸発分離作用を開始する熱源の供給（例えば、燃焼装置の起動・高温蒸気の供給など）が始まったことを示す信号を、リモコン１００が空調機の例えば制御盤から入力すると、所定の電圧が印加されて暗転動作するように配線してあり、
【００１９】
冷温水Ｐ３と冷却水Ｐ４の印刷表記右側に配設した液晶表示手段１０は、リモコン１００の電源Ｓ１が投入され、且つ、図示しないそれぞれのポンプが起動していることを示す信号をリモコン１００が入力すると、所定の電圧がそれぞれに印加されて暗転動作するように配線してある。
【００２０】
一方、補助液晶表示手段１１は、繋がれている空調機に対応するものにだけ、リモコン１００の電源Ｓ１が投入されると所定の電圧が常時印加され、電源投入中は常に暗転動作するように配線してある。
【００２１】
したがって、本発明の表示装置５０の場合、図１のように表示されていると、リモコン１００には４台の空調機が制御可能に接続されているが、ユニット番号表示手段５・６・７・８・９の下方の液晶表示手段１０は何れも暗転動作していないので、何れのユニットも駆動していないことが一目で分かる。
【００２２】
そして、表示装置５０が例えば図２のように表示されていると、暗転動作している液晶表示手段１０はユニット番号表示手段８に対応するもののみであり、ユニット番号表示手段５・６・７に対応して配設してある補助液晶表示手段１１の部分には暗転動作している液晶表示手段１０がないことが一目で分かるので、運転しているユニットの番号を見間違えることがない。
【００２３】
なお、領域Ａには運転モード、例えば冷房運転中か暖房運転中かを点灯表示などする運転モード表示部１２を設けてあり、領域Ｃには現在の時刻が例えばデジタル表示できる時刻表示部１３を設けてあり、領域Ｄには図示しない延長タイマ、警告などの表示手段が適宜設置される。
【００２４】
ところで、本発明は上記実施例に限定されるものではないので、特許請求の範囲に記載の趣旨から逸脱しない範囲で各種の変形実施が可能である。
【００２５】
例えば、補助液晶表示手段１１としては、図３に示したように水平ライン１１ａと垂直ライン１１ｂとを分離するように構成したり、水平ライン１１ａまたは垂直ライン１１ｂの何れか一方で構成することも可能である。
【００２６】
また、図４に示したように水平ライン１１ａを見掛け上連続させたり（連続しているかのように見える程間隔を詰める）、また、図５に示したように水平ライン１１ａを見掛け上連続させ、垂直ライン１１ｂを短く構成することなども可能である。
【００２７】
また、液晶表示手段としては、所定の電圧が印加すると明転動作するタイプのものであっても良い。
【００２８】
【発明の効果】
以上説明したように本発明の表示装置は、運転状態を表示する表示部がマトリックス状に割り付けられた液晶表示手段からなると共に、マトリックスの位置を示す補助液晶表示手段を備え、さらに実在ユニットに対応する補助液晶表示手段は常時表示動作状態に設けられ、実在ユニットに対応しない補助液晶表示手段は常時非表示動作状態に設けられるので、実在ユニットに対応する補助液晶表示手段を例えば常時暗転動作させておくことによって、液晶表示手段が斑模様に暗転動作しても、動作した液晶表示手段の位置関係を容易に把握することが可能であり、運転しているユニット・機器を見間違えることがない。
【００２９】
また、第３の構成の表示装置においては、ユニットの番号を表示する部分も液晶表示手段によって形成されているので、例えば５ユニットの運転状態の表示ができるように作成した表示装置に、例えば４ユニットを接続して表示するときには、１〜４ユニットに相当する部分を例えば暗転動作させて表示し、５番目のユニットの表示を行わないようにすることができるので、表示内容がすっきりすると云った利点がある。
【図面の簡単な説明】
【図１】一実施例のリモコンの説明図である。
【図２】リモコンの液晶表示部の説明図である。
【図３】変形実施例の液晶表示部の説明図である。
【図４】変形実施例の液晶表示部の説明図である。
【図５】変形実施例の液晶表示部の説明図である。
【図６】従来技術の説明図である。
【符号の説明】
１  ユニット
２  運転中
３  冷温水Ｐ
４  冷却水Ｐ
５・６・７・８・９  ユニット番号表示手段
１０  液晶表示手段
１１  補助液晶表示手段
１２  運転モード表示部
１３  時刻表示部
４０  横線
５０  表示装置
６０  ランプ類
７０  補助線
１００  リモコン
１００Ａ  液晶表示部
【図１】
0003561558.tif 000002
【図２】
0003561558.tif 000003
【図３】
0003561558.tif 000004
【図４】
0003561558.tif 000005
【図５】
0003561558.tif 000006
【図６】
0003561558.tif 000007